(57)【要約】【課題】使用者の肌に当てる当接部を速やかに温めることが可能な美容器を提供する。【解決手段】使用者の肌に当てる当接部ＴＦ，ＴＳを備えた美容器Ｍであり、前記当接部ＴＦ，ＴＳは、前記肌に当たる面が湾曲した外面カバー３０，６０と、前記外面カバー３０，６０の内面に近い位置に発熱体４０，６４を配置して前記外面カバー３０，６０に固定される固定部材４２，６５と、を有している。【選択図】図１０
2020048926.tif 000002
【特許請求の範囲】
【請求項１】
使用者の肌に当てる当接部を備えた美容器であり、
前記当接部は、前記肌に当たる面が湾曲した外面カバーと、
前記外面カバーの内面に近い位置に発熱体を配置して前記外面カバーに固定される固定部材と、
を有している美容器。
【請求項２】
前記発熱体が、面状をなしている請求項１に記載の美容器。
【請求項３】
前記発熱体の形状が、前記外面カバーの内面の形状に沿っている請求項１又は請求項２に記載の美容器。
【請求項４】
前記固定部材の前記発熱体に臨む側の面の形状が、前記外面カバーの内面の形状に沿っている請求項２に記載の美容器。
【発明の詳細な説明】
【技術分野】
【０００１】
本発明は、美容器に関する。
【背景技術】
【０００２】
従来、使用者の肌に当てる当接部を備え、当接部を肌に押し当て、肌に沿ってゆっくり引き上げるようにスライドしたり、引き下げるようにスライドしたりして、肌をマッサージする美容器が知られている。例えば下記特許文献１記載の美容器は、当接部を通電状態にして肌にパルス電流を供給することで、さらに肌を活性化し、美容効果を高めるものとなっている。
【先行技術文献】
【特許文献】
【０００３】
【特許文献１】特許第６２８２２７１号公報
【発明の概要】
【発明が解決しようとする課題】
【０００４】
ところで、上記のような美容器において、さらに使用者にここちよさを提供するべく、当接部を温める機能を付加したいという要望がある。その際、当接部を速やかに温める工夫が望まれた。
【０００５】
本発明は上記のような事情に基づいて完成されたものであって、使用者の肌に当てる当接部を速やかに温めることが可能な美容器を提供することを目的とする。
【課題を解決するための手段】
【０００６】
本発明の美容器は、使用者の肌に当てる当接部を備えた美容器であり、前記当接部は、前記肌に当たる面が湾曲した外面カバーと、前記外面カバーの内面に近い位置に発熱体を配置して前記外面カバーに固定される固定部材と、を有しているものである。ここで、前記外面カバーの内面に近い位置、とは、外面カバーの内面に少なくとも一部が接する位置、外面カバーの内面に接することなくわずかに離れた位置、外面カバーの内面との間に空気より熱伝導率が大きいシート状の部材を介在した位置、を含む。
【発明の効果】
【０００７】
本発明によれば、外面カバーを、人の顔や体のように凹凸がある施術面にフィットしやすい形状にしつつ、発熱体を外面カバーに近い位置に配置し、使用者の肌に当てる当接部を速やかに温めることができる。
【図面の簡単な説明】
【０００８】
【図１】本実施例における美容器であって、充電器にセットした状態を示す斜視図
【図２】美容器を示す正面図
【図３】美容器を示す背面図
【図４】美容器を示す右側面図
【図５】美容器を示す左側面図
【図６】美容器を示す分解斜視図
【図７】本体部を示す分解斜視図
【図８】第１当接部を示す分解斜視図
【図９】第２当接部を示す分解斜視図
【図１０】第１当接部を示す断面図
【図１１】第１当接部を示す断面図であって、図１０のＡ−Ａ位置における断面に相当する断面図
【図１２】第２当接部を示す断面図
【図１３】第２当接部を示す断面図であって、図１２のＢ−Ｂ位置における断面に相当する断面図
【図１４】第１外面カバーの外面を示す平面図
【図１５】第１外面カバーの内面を示す平面図
【図１６】第１発熱体の湾曲形状を示す図
【図１７】第１固定カバーの第１発熱体側の面を示す平面図
【図１８】第１固定カバーの第１蓋カバー側の面を示す平面図
【図１９】第１蓋カバーの第１固定カバー側の面を示す平面図
【図２０】第１蓋カバーの本体部側の面を示す平面図
【図２１】第２外面カバーの外面を示す平面図
【図２２】第２外面カバーの内面を示す平面図
【図２３】第２発熱体の湾曲形状を示す図
【図２４】第２固定カバーの第２発熱体側の面を示す平面図
【図２５】第２固定カバーの第２蓋カバー側の面を示す平面図
【図２６】第２蓋カバーの第２固定カバー側の面を示す平面図
【図２７】第２蓋カバーの本体部側の面を示す平面図
【発明を実施するための形態】
【０００９】
本発明の好ましい形態を以下に示す。
本発明の美容器は、前記発熱体が、面状をなしているものとしてもよい。このような構成によれば、当接部をコンパクトにでき、また発熱体の熱が効率よく外面カバーに伝達されるから、当接部をより速やかに温めることができる。
【００１０】
また、本発明の美容器は、前記発熱体の形状が、前記外面カバーの内面の形状に沿っているものとしてもよい。このような構成によれば、外面カバーの内面と発熱体との間隔を面方向に均一にしやすいから、外面カバーの温度分布を均一にできる。
【００１１】
また、本発明の美容器は、前記固定部材の前記発熱体に臨む側の面の形状が、前記外面カバーの内面の形状に沿っているものとしてもよい。このような構成によれば、外面カバーの内面と発熱体との間隔を面方向に均一に保持できるから、外面カバーの温度分布を均一に保持できる。
【００１２】
また、本発明の美容器は、前記固定部材に、温度センサが取り付けられている。このような構成によれば、温度センサを外面カバーに近い位置に配置し易いから、外面カバーの温度を正確に感知できる。
【００１３】
＜実施例＞
以下、本発明を具体化した一実施例について、図１〜図２７を参照しつつ詳細に説明する。
本実施例における美容器Ｍは、無線充電機能を備え、図１に示すように、充電器Ｅにセットすることで充電できる。美容器Ｍの無線充電は、美容器Ｍに備えた受信コイル１０５と、充電器Ｅに備えた送信コイル（図示せず）とを用いてなされる。充電器Ｅは、図示しないＵＳＢケーブル等により電源に接続される。
【００１４】
美容器Ｍは、図２に示すように、全体として概ねハート形の扁平な形状をなし、使用者が把持する本体部１０と、使用者の肌に当てる２つの当接部（以後、第１当接部ＴＦ及び第２当接部ＴＳと称する）とを備えている。以下、各構成部材において、図２の上側を上方、下側を下方、左側を左方、右側を右方とし、また図２の手前側（タッチプレート１８が設けられている側）を表方、奥側を裏方として説明する。
【００１５】
本体部１０は、図２に示すように、上下方向に長い扇形状をなしている。本体部１０の右側面１１は、上下方向の中間部が右方へ突出するように緩く湾曲した弓形状をなしている。本体部１０の左側面１２は、上下方向の中間部が折れ曲がった形状をなしている。
【００１６】
本体部の右側面１１には、押し操作により電源のオン・オフ、また使用モードの切り替えを行うスイッチ部１３が設けられている。
本体部の左側面１２には、第１当接部ＴＦ及び第２当接部ＴＳが設けられている。第１当接部ＴＦは、左側面１２の上側、第２当接部ＴＳは、左側面１２の下側に設けられている。
【００１７】
美容器Ｍは、スイッチ部１３を操作することにより、電源オフモードと電源オンモードとに切り替えることができる。電源オンモードでは、第１当接部ＴＦ又は第２当接部ＴＳの温度が上昇する。電源オンモードは、複数の使用モード（第１当接部ＴＦに微弱電流を流す第１モード、第２当接部ＴＳに微弱電流を流す第２モード、第１当接部ＴＦ及び第２当接部ＴＳの両方に微弱電流を流さない第３モード）を有している。
【００１８】
本体部１０は、図７に示すように、無線充電される電池１００等を内部に収容するインナケース１４と、インナケース１４の外面をカバーするアウタカバー１５とを備えている。電池１００は、リチウムイオン充電池であり、電池１００の端子（図示せず）は基板１０２に電気的に接続されている。
【００１９】
インナケース１４は、互いに嵌め合わされる裏側ケース１４Ｒと表側ケース１４Ｓとを備えている。裏側ケース１４Ｒと表側ケース１４Ｓとは、複数のねじＳ６により嵌め合わされた状態に固定される。これにより、インナケース１４の内部空間は閉塞される。電池１００等は、インナケース１４を開放することで交換できる。
【００２０】
インナケース１４には、図１及び図７に示すように、第１当接部ＴＦと第２当接部ＴＳとの間を仕切る仕切り部１１８が取り付けられている。仕切り部１１８は、本体部１０の左側面１２の屈曲位置に設けられている。仕切り部１１８は、インナケース１４に収容された基板１０２に電気的に接続されている。仕切り部１１８は、美容器Ｍの使用モードを異なる態様（例えば異なる色に変化する）によって示し、美容器Ｍがどの使用モードであるかを使用者に知らせる。
【００２１】
裏側ケース１４Ｒは、図６及び図７に示すように、浅い皿状をなしている。裏側ケース１４Ｒは、板状をなすベース部１６と、ベース部１６の外周縁に沿って立つ周壁部１７とを備えている。
【００２２】
ベース部１６には、図７に示すように、ねじＳ８により基板１０２が固定されている。ベース部１６には、受信コイル１０５が取り付けられている。受信コイル１０５は、裏側が窪んだ形態のコイル収容部１０６に嵌合して保持されている。また、ベース部１６には、美容器Ｍの無線充電を制御する制御装置１２８が備えられている。
【００２３】
周壁部１７には、スイッチ部１３が備えられている。スイッチ部１３は、押し操作される操作ボタン１１３と、タクトスイッチ１１４とを備えている。操作ボタン１１３は、ねじＳ７により周壁部１７に固定されている。タクトスイッチ１１４は、周壁部１７の内側に備えられ、基板１０２に電気的に接続されている。
【００２４】
表側ケース１４Ｓは、基板１０２と対向して配置される。表側ケース１４Ｓには、基板１０２に電気的に接続する端子１０４が取り付けられている。端子１０４は、表側ケース１４Ｓの表面に配置されている。
【００２５】
表側ケース１４Ｓの裏面には、ＬＥＤホルダ１１５がねじＳ９により固定されている。ＬＥＤホルダ１１５は、基板１０２に電気的に接続されている。ＬＥＤホルダ１１５は、スイッチ部１３に対応する位置に配置されている。ＬＥＤホルダ１１５のＬＥＤは、スイッチ部１３のオンオフ操作により、表側カバー１５Ｓの図示しない表示部の表示を切り替え、美容器Ｍがどの使用モードであるかを使用者に知らせる。
【００２６】
表側ケース１４Ｓの外縁部は、裏側ケース１４Ｒの周壁部１７の溝に装着されたリング状の防水パッキン１０１に密着する。これにより、インナケース１４が密閉される。
【００２７】
アウタカバー１５は、図７に示すように、裏側ケース１４Ｒを覆う裏側カバー１５Ｒと、表側ケース１４Ｓを覆う表側カバー１５Ｓとを備えている。
裏側カバー１５Ｒは、ベース部１６の裏面の全体を覆っている。裏側カバー１５Ｒの外周縁部には、ベース部１６の被係止部１０８に係止して、裏側カバー１５Ｒを裏側ケース１４Ｒに固定する係止部１０７が設けられている。
【００２８】
表側カバー１５Ｓは、表側ケース１４Ｓを覆う大きさを有している。表側カバー１５Ｓの外縁部には、表側ケース１４Ｓの外縁部に形成された被係止部１１１に係止する係止部１１０が設けられている。
【００２９】
表側カバー１５Ｓには、タッチプレート１８が嵌め込まれる嵌合穴１０９が表裏両方向に貫通して形成されている。嵌合穴１０９は、表側ケース１４Ｓの端子１０４の位置に設けられている。
【００３０】
タッチプレート１８は、本体部１０の外形と相似形をなしている。タッチプレート１８の裏面には、端子１０４に電気的に接続されるコネクタ部（図示せず）が設けられている。タッチプレート１８が嵌合穴１０９に嵌合した状態では、タッチプレート１８のコネクタ部が端子１０４に接触した状態になる。
【００３１】
本体部１０は、図６に示すように、第１当接部ＴＦが固定される第１固定部１９と、第２当接部ＴＳが固定される第２固定部２１とを備えている。
第１固定部１９及び第２固定部２１は、裏側ケース１４Ｒの周壁部１７に設けられている。第１固定部１９及び第２固定部２１は、インナケース１４にアウタカバー１５が取り付けられた状態において、裏側カバー１５Ｒと表側カバー１５Ｓとの間から外部に露出する。第１固定部１９及び第２固定部２１は、第１当接部ＴＦ及び第２当接部ＴＳが本体部１０に固定された状態では、第１当接部ＴＦ及び第２当接部ＴＳによってそれぞれ覆い隠される。
【００３２】
第１固定部１９には、図６及び図７に示すように、第１当接部ＴＦを固定するねじＳ１が挿通される挿通孔が形成された挿通部１２１と、第１当接部ＴＦのケーブル１２２が挿通される挿通孔が貫通形成された挿通部１２３とが設けられている。挿通部１２１は、第１固定部１９の長手方向に一対が設けられている。挿通部１２３は、一対の挿通部１２１の間に位置している。
【００３３】
第２固定部２１には、図６及び図７に示すように、第２当接部ＴＳを固定するねじＳ２が挿通する挿通孔が貫通形成された挿通部１２５と、第２当接部ＴＳのケーブル１２６が挿通される挿通孔が貫通形成された挿通部１２７とが設けられている。挿通部１２５は、第２固定部２１の長手方向に一対が設けられている。挿通部１２７は、一対の挿通部１２５の間に位置している。
【００３４】
第１当接部ＴＦは、図８に示すように、肌に当たる外面を有する第１外面カバー３０と、第１外面カバー３０の内側に配される第１発熱体４０と、第１発熱体４０を第１外面カバー３０に近い位置に保持して第１外面カバー３０に固定される第１固定カバー（固定部材）４２と、第１固定カバー４２の内側に備えられる第１電気部品４５と、第１電気部品４５を覆う第１蓋カバー５０とを備えている。
【００３５】
第１電気部品４５は、第１回路基板４６と、第１回路基板４６に電気的に接続された第１温度センサ４７と、第１回路基板４６に電気的に接続された第１振動モータ４８とを備えている。
【００３６】
第１回路基板４６には、制御部を構成するマイコン等が搭載されている。第１回路基板４６には、第１温度センサ４７及び第１振動モータ４８に加えて、第１発熱体４０、第１外面カバー３０のめっき膜、及び基板１０２が電気的に接続されている。第１回路基板４６は、ケーブル１２２及びケーブル１２２の端末部に接続される接続部１１６を介して基板１０２に接続されている。
【００３７】
これにより、第１モードにおいて人体の一部（手や指）がタッチプレート１８に接触し、第１当接部ＴＦが人体の他の部位（例えば頬）に接触しているとき、人体を介して閉回路が形成され、タッチプレート１８と第１当接部ＴＦとの間に電位差が生じ、第１回路基板４６が通電する。第１回路基板４６は、タッチプレート１８と第１当接部ＴＦとの間に極性が交互に入れ替わる電流を流す。タッチプレート１８から人体が離れる、または第１当接部ＴＦから人体が離れると、第１回路基板４６の通電が停止される。
【００３８】
第１温度センサ４７は、例えばサーミスタであり、図１０に示すように、第１固定カバー４２を貫通して第１外面カバー３０に接触または近接している。第１回路基板４６は、第１温度センサ４７からの入力信号に基づいて、第１当接部ＴＦの温度を所定の温度にするべく、第１発熱体４０をオンオフ制御する。
【００３９】
第１振動モータ４８は、第１回路基板４６の通電時に駆動し、第１回路基板４６の通電が停止すると停止する。
第１外面カバー３０は、キャップ状をなし、外面と内面とが概ね平行、すなわち厚さ寸法が概ね一定である。第１外面カバー３０は、金属製もしくは樹脂製であって全面に導電性めっき膜が形成されている。
【００４０】
第１外面カバー３０は、図２及び図３に示すように、概ね同形状をなす表面部３４と裏面部３５とを有している。表面部３４と裏面部３５とは、長手方向に延びた一方の縁（図２では左側の縁）において連続し、他方の縁は離れている。第１外面カバー３０の長手方向に交差する方向の断面形状は、図１１に示すように、Ｕ字形状をなしている。
【００４１】
第１外面カバー３０は、図２に示すように、２つの突部（以後、第１突部３２Ｆ及び第２突部３２Ｓと称する）が並んだ形状をなしている。第１突部３２Ｆと第２突部３２Ｓとは、左右方向の幅寸法が異なっている。本実施例では、第１突部３２Ｆの幅寸法が第２突部３２Ｓの幅寸法より大きくされている。
【００４２】
第１突部３２Ｆ及び第２突部３２Ｓの突出端面は、使用者の肌に当接する第１当接面３１を構成する。第２突部３２Ｓの突出端面は、第１突部３２Ｆの突出端面より大きい曲率で湾曲している。すなわち第１当接面３１は、２つの異なる曲率で湾曲した外面湾曲部３３が連続している。第１当接面３１のうち２つの外面湾曲部３３の間の部分は、凹んだ形状をなしている。
【００４３】
第１外面カバー３０は、第１当接面３１を正面にして見ると、図１４に示すように、細長い形状をなしている。第１外面カバー３０の外面（第１当接面３１）は、凹凸のない滑らかな面である。
【００４４】
第１外面カバー３０の内面には、図８に示すように、第１固定カバー４２を固定する４本のねじＳ３が螺合される固定孔が形成された固定部Ｆ１が突出して設けられている。固定部Ｆ１は、円柱形状をなし、中心部が固定孔とされている。固定部Ｆ１は、図１５に示すように、第１当接部ＴＦの長手方向における両端部及び中間部に設けられている。
【００４５】
第１外面カバー３０の内面には、図１０に示すように、第１温度センサ４７が嵌合するセンサ嵌合部１３５が設けられている。センサ嵌合部１３５は、隣接する第１突部３２Ｆと第２突部３２Ｓとの間の谷間に位置している。センサ嵌合部１３５は、図１５に示すように、円柱形状をなし、中心部が嵌合孔１３６とされている。第１外面カバー３０の内面は、固定部Ｆ１及びセンサ嵌合部１３５を除き、凹凸のない滑らかな面である。
【００４６】
第１外面カバー３０の外縁部には、図８に示すように、第１蓋カバー５０の周縁部に形成された被係止部１３２に係止して、第１外面カバー３０を第１蓋カバー５０に固定する係止部１３３が設けられている。係止部１３３と被係止部１３２とが係止した状態では、第１外面カバー３０の外縁部は、図１０及び図１１に示すように、第１蓋カバー５０の外縁部の外側に被さった状態になる。
【００４７】
第１発熱体４０は、図１０に示すように、第１外面カバー３０の内面に沿って配される面状をなしている。第１発熱体４０は、保温シート付きのフィルムヒータである。第１発熱体４０は、第１外面カバー３０の内面に密着する。第１発熱体４０には、通電することにより発熱する発熱体（図示せず）が、面内での温度分布を均一化できるように配線されている。発熱体には図示しないリード線が設けられ、リード線は第１回路基板４６に接続されている。
【００４８】
第１発熱体４０は、図１５に示すように、第１外面カバー３０の幅方向（短手方向）の中心に沿うように細長く、図６に示すように、第１外面カバー３０の内面の形状に沿うように湾曲している。第１発熱体４０は、第１外面カバー３０の２つの外面湾曲部３３に沿うように２つの発熱体湾曲部４１を有している。
【００４９】
第１発熱体４０の２つの発熱体湾曲部４１の間には、図１５に示すように、第１外面カバー３０のセンサ嵌合部１３５が貫通する穴部１３９が貫通している。また、第１発熱体４０には、第１外面カバー３０の固定部Ｆ１を逃がす切欠部１３７が形成されている。
【００５０】
第１固定カバー４２は、図８及び図１０に示すように、第１外面カバー３０との間に第１発熱体４０を挟んで第１外面カバー３０の内側に嵌合する。第１固定カバー４２は、第１外面カバー３０と同様、キャップ状をなし、第１発熱体４０に臨む側の面と第１蓋カバー５０に臨む面とが概ね平行、すなわち厚さ寸法が概ね一定である。第１固定カバー４２の長手方向に交差する方向の断面形状は、Ｕ字形状をなし、第１固定カバー４２は第１蓋カバー５０側が開放されている。第１固定カバー４２は、樹脂製であって所定の部位に導電性めっき膜が形成されている。
【００５１】
第１固定カバー４２の第１発熱体４０側の面の形状は、図１０に示すように、第１外面カバー３０の内面の形状に沿っている。すなわち第１固定カバー４２の第１発熱体４０側の面は、第１外面カバー３０の２つの外面湾曲部３３、及び第１発熱体４０の２つの発熱体湾曲部４１と概ね同形状をなす２つの固定湾曲部４３を有している。これにより、第１発熱体４０は、第１外面カバー３０の内面と、第１固定カバー４２の第１発熱体４０側の面とに、少なくとも一部が直接接した状態になる。
【００５２】
第１固定カバー４２には、図８に示すように、第１固定カバー４２を第１外面カバー３０に固定するねじＳ３が挿通する挿通孔が貫通形成された挿通部１３８が設けられている。挿通部１３８は、図１７に示すように、第１外面カバー３０の固定部Ｆ１に対応した位置に設けられている。挿通部１３８は、図１０に示すように、第１固定カバー４２の第１発熱体４０側の面から第１蓋カバー５０側に凹設された底面に位置する板状部１４７を有し、板状部１４７に挿通孔が貫通形成されている。第１固定カバー４２と第１外面カバー３０とがねじＳ３により固定された状態では、固定部Ｆ１と挿通部１３８とにシールリングＲ６が密着して止水される。
【００５３】
第１固定カバー４２には、図１０に示すように、第１温度センサ４７を保持するセンサ保持部１３４が設けられている。センサ保持部１３４は、第１外面カバー３０のセンサ嵌合部１３５に対応する位置に設けられ、第１発熱体４０側が窪んだ形状をなしている。
【００５４】
第１固定カバー４２の第１発熱体４０側の面には、図１７に示すように、表裏方向の中心線に沿って細溝４４が形成されている。第１固定カバー４２の第１発熱体４０側の面は、挿通部１３８、センサ保持部１３４及び細溝４４を除き、凹凸のない滑らかな面である。
【００５５】
第１固定カバー４２の第１蓋カバー５０側の面には、図８に示すように、第１蓋カバー５０を固定するねじＳ４が螺合される固定孔が形成された固定部Ｆ２が突出して設けられている。固定部Ｆ２は、円柱形状をなし、中心部が固定孔とされている。固定部Ｆ２の固定孔は、図１０に示すように、第１発熱体４０側が閉じた形態の凹部である。
【００５６】
第１固定カバー４２の第１蓋カバー５０側の面には、ねじＳ５により第１回路基板４６が固定されている。また、第１固定カバー４２の第１蓋カバー５０側の面には、第１振動モータ４８が取り付けられている。
【００５７】
第１蓋カバー５０は、図１０に示すように、第１固定カバー４２の開放側の全体を塞ぐ。第１蓋カバー５０は、図６に示すように、本体部１０の第１固定部１９に沿う板状をなす蓋カバー本体部５１と、蓋カバー本体部５１の長手方向の一端から立ち上がる蓋カバー端部５２とを備えている。蓋カバー端部５２は、仕切り部１１８に沿う。
【００５８】
蓋カバー本体部５１は、第１固定部１９と概ね同形状をなしている。蓋カバー本体部５１には、本体部１０に第１当接部ＴＦを固定するねじＳ１が螺合する固定孔が形成された固定部Ｆ３が設けられている。固定部Ｆ３は、本体部１０の挿通部１２１に対応する位置に設けられている。第１蓋カバー５０と第１固定部１９とがねじＳ１により固定された状態では、固定部Ｆ３と挿通部１２１とにシールリングＲ４が密着して止水される。
【００５９】
第１蓋カバー５０には、図８に示すように、第１蓋カバー５０を第１固定カバー４２に固定するためのねじＳ４が挿通する挿通孔が貫通形成された挿通部１２４が設けられている。挿通部１２４は、第１固定カバー４２の固定部Ｆ２に対応した位置に設けられている。複数の挿通部１２４のうち一つは、蓋カバー端部５２に設けられている。第１蓋カバー５０と第１固定カバー４２とがねじＳ４により固定された状態では、固定部Ｆ２と挿通部１２４とにシールリングＲ１が密着して止水される。
【００６０】
第１蓋カバー５０には、ケーブル１２２を挿通する挿通孔が形成された挿通部１４２が設けられている。挿通部１４２は、本体部１０の挿通部１２３と対応する位置に設けられている。第１蓋カバー５０と第１固定部１９とがねじＳ１により固定された状態では、挿通部１４２と挿通部１２３とに方形状をなすシールリングＲ５が密着して止水される。
【００６１】
第１蓋カバー５０の外縁部には、図８に示すように、第１外面カバー３０の外縁部に形成された係止部１３３が係止する被係止部１３２が設けられている。被係止部１３２に係止部１３３が係止することにより、第１蓋カバー５０と第１外面カバー３０とが組み付け状態に保持される。
【００６２】
図１０に示すように、第１蓋カバー５０の外周縁と、第１固定カバー４２の外周縁と、第１外面カバー３０の外周縁とに、第１パッキン５３が密着する。これにより、第１外面カバー３０と第１固定カバー４２との間の空間、及び第１固定カバー４２と第１蓋カバー５０との間の空間が密閉される。第１パッキン５３は、細長いリング状をなしている。
【００６３】
第２当接部ＴＳは、図９に示すように、肌に当たる外面を有する第２外面カバー６０と、第２外面カバー６０の内側に配される第２発熱体６４と、第２発熱体６４を第２外面カバー６０に近い位置に保持して第２外面カバー６０に固定される第２固定カバー（固定部材）６５と、第２固定カバー６５の内側に備えられる第２電気部品７０と、第２電気部品７０を覆う第２蓋カバー７４とを備えている。
【００６４】
第２電気部品７０は、第２回路基板７１と、第２回路基板７１に電気的に接続された第２温度センサ７２と、第２回路基板７１に電気的に接続された第２振動モータ７３とを備えている。
【００６５】
第２回路基板７１には、制御部を構成するマイコン等が搭載されている。第２回路基板７１には、第２温度センサ７２及び第２振動モータ７３に加えて、第２発熱体６４、第２外面カバー６０のめっき膜、及び基板１０２が電気的に接続されている。第２回路基板７１は、ケーブル１２６及びケーブル１２６の端末部に接続される接続部１１７を介して基板１０２に接続されている。
【００６６】
これにより、第２モードにおいて人体の一部（手や指）がタッチプレート１８に接触し、第２当接部ＴＳが人体の他の部位（例えば頬）に接触しているとき、人体を介して閉回路が形成され、タッチプレート１８と第２当接部ＴＳとの間に電位差が生じ、第２回路基板７１が通電する。第２回路基板７１は、タッチプレート１８と第２当接部ＴＳとの間に基本的に一方極性の電流を流すイオン導入モードを実行する。イオン導入モードにおいては、一方の極性（マイナス）のパルス電流が所定数供給されるごとに他方の極性のパルス電流が所定数供給される。タッチプレート１８から人体の一部が離れる、または第２当接部ＴＳから人体の他の部位が離れると、第２回路基板７１の通電が停止される。
【００６７】
第２温度センサ７２は、例えばサーミスタであり、図１２に示すように、第２固定カバー６５を貫通して第２外面カバー６０に接触または近接している。第２回路基板７１は、第２温度センサ７２からの入力信号に基づいて、第２当接部ＴＳの温度を所定の温度にするべく、第２発熱体６４をオンオフ制御する。
【００６８】
第２振動モータ７３は、第２回路基板７１の通電時に駆動し、第２回路基板７１の通電が停止すると停止する。
第２外面カバー６０は、キャップ状をなし、外面と内面とが概ね平行、すなわち厚さ寸法が概ね一定である。第２外面カバー６０は、金属製もしくは樹脂製であって全面に導電性めっき膜が形成されている。
【００６９】
第２外面カバー６０は、図２及び図３に示すように、概ね同形状をなす表面部６２と裏面部６３とを有している。表面部６２と裏面部６３とは、長手方向に延びた一方の縁（図２では左側の縁）において連続し、他方の縁は離れている。第２外面カバー６０の長手方向に交差する方向の断面形状は、図１３に示すように、Ｕ字形状をなしている。
【００７０】
第２外面カバー６０の表面部６２及び裏面部６３が連続している側の面は、使用者の肌に当接する第２当接面６１を構成する。第２当接面６１は、第１当接面３１の外面湾曲部３３より小さい曲率で人の頬のカーブに沿うように緩く湾曲している。第２当接面６１は、上下方向の中間部が本体部１０側に凹んだ弓形状をなしている。
【００７１】
第２外面カバー６０は、細長い形状をなしている。第２外面カバー６０は、第２当接面６１を正面に見ると、図２１に示すように、長手方向の一端側から他端側に向かって幅寸法（短手方向の寸法）が小さくなる形状をなしている。第２外面カバー６０の外面は、凹凸のない滑らかな面である。
【００７２】
第２外面カバー６０の内面には、図９及び図１２に示すように、第２固定カバー６５及び第２回路基板７１を共に固定するねじＳ１５が螺合される固定孔が形成された固定部Ｆ１８が突出して設けられている。固定部Ｆ１８は、円柱形状をなし、中心部が固定孔とされている。
【００７３】
第２外面カバー６０の内面には、第２蓋カバー７４を固定するねじＳ１３が螺合される固定孔が形成された固定部Ｆ１１が突出して設けられている。固定部Ｆ１１は、円柱形状をなし、中心部が固定孔とされている。固定部Ｆ１１は、図２２に示すように、第２外面カバー６０の長手方向の両端部に設けられている。
【００７４】
第２外面カバー６０の内面には、図１２に示すように、第２温度センサ７２が嵌合するセンサ嵌合部２３５が設けられている。センサ嵌合部２３５は、第２外面カバー６０の上下方向の中心より上端寄りに位置している。センサ嵌合部２３５は、円柱形状をなし、中心部が嵌合孔２３６とされている。第２外面カバー６０の内面は、図２２に示すように、固定部Ｆ１１、固定部Ｆ１８及びセンサ嵌合部２３５を除き、大部分が凹凸のない滑らかな面である。
【００７５】
第２外面カバー６０の外縁部には、図９に示すように、第２蓋カバー７４の周縁部に形成された被係止部２３２に係止して、第２外面カバーを第２蓋カバー７４に固定する係止部２３３が設けられている。第２外面カバー６０の外縁部は、第２蓋カバー７４の外縁部の外側に被さって係止する。
【００７６】
第２発熱体６４は、第２外面カバー６０の内面に沿って配される面状をなしている。第２発熱体６４は、保温シート付きのフィルムヒータである。第２発熱体６４は、第２外面カバー６０の内面に密着して配置される。第２発熱体６４には、通電することにより発熱する発熱体（図示せず）が、面内での温度分布を均一化できるように配線されている。発熱体には図示しないリード線が設けられ、リード線は第２回路基板７１に接続されている。
【００７７】
第２発熱体６４は、第２当接面６１の内側に沿うように細長く、第２外面カバー６０の内面の形状に沿うように湾曲している。すなわち第２発熱体６４は、弓状に湾曲するとともに、長手方向に交差する方向の断面がＵ字形状をなすように湾曲している。第２発熱体６４には、第２外面カバー６０のセンサ嵌合部２３５が貫通する穴部２３９が貫通している。
【００７８】
第２固定カバー６５は、第２外面カバー６０との間に第２発熱体６４を挟んで第２外面カバー６０の内側に嵌合する。第２固定カバー６５は、第２外面カバー６０と同様、キャップ状をなし、第２発熱体６４に臨む側の面と第２蓋カバー７４に臨む側の面とが概ね平行、すなわち厚さ寸法が概ね一定である。第２固定カバー６５の長手方向に交差する方向の断面形状は、Ｕ字形状をなし、第２蓋カバー７４側が開放されている。第２固定カバー６５は、樹脂製であって所定の部位に導電性めっき膜が形成されている。
【００７９】
第２固定カバー６５の第２発熱体６４側の面の形状は、図１２に示すように、第２外面カバー６０の内面の形状に沿っている。すなわち第２固定カバー６５の第２発熱体６４側の面は、弓状をなしている。第２固定カバー６５の第２発熱体６４側の面は、凹凸のない滑らかな面である。これにより、第２発熱体６４の両面は、第２外面カバー６０の内面と、第２固定カバー６５の第２発熱体６４側の面とに、少なくとも一部が直接接した状態になる。
【００８０】
第２固定カバー６５には、第２温度センサ７２を保持するセンサ保持部２３４が設けられている。センサ保持部２３４は、第２外面カバー６０のセンサ嵌合部２３５に対応する位置に設けられ、第２発熱体６４側が窪んだ形状をなしている。
【００８１】
第２固定カバー６５の第２蓋カバー７４側の面には、図９に示すように、第２蓋カバー７４を固定するねじＳ１４が螺合される固定孔が形成された固定部Ｆ１２が突出して設けられている。固定部Ｆ１２は、円柱形状をなし、中心部が固定孔とされている。
【００８２】
第２固定カバー６５には、第２回路基板７１及び第２外面カバー６０を固定するねじＳ１５が挿通される挿通孔が貫通形成された挿通部２３８が設けられている。第２固定カバー６５の第２蓋カバー７４側の面には、第２振動モータ７３が取り付けられている。第２固定カバー６５と第２外面カバー６０とがねじＳ１５により固定された状態では、固定部Ｆ１８と挿通部２３８とにシールリングＲ７が密着して止水される。
【００８３】
第２蓋カバー７４は、図１２に示すように、第２固定カバー６５の開放側の全体を塞ぐ。第２蓋カバー７４は、図６に示すように、本体部１０の第２固定部２１に沿う板状をなす蓋カバー本体部７５と、蓋カバー本体部７５の長手方向の一端から立ち上がる蓋カバー端部７６とを備えている。蓋カバー端部７６は、仕切り部１１８に沿う。
【００８４】
蓋カバー本体部７５は、第２固定部２１と概ね同形状をなしている。蓋カバー本体部７５には、本体部１０に第２当接部ＴＳを固定するねじＳ２が螺合する固定孔が形成された固定部Ｆ１３が設けられている。固定部Ｆ１３は、本体部１０の挿通部１２５に対応する位置に設けられている。第２蓋カバー７４と第２固定部２１とがねじＳ２により固定された状態では、固定部Ｆ１３と挿通部１２５とにシールリングＲ２が密着して止水される。
【００８５】
第２蓋カバー７４には、第２蓋カバー７４を第２外面カバー６０に固定するためのねじＳ１３が挿通する挿通孔が貫通形成された挿通部２２４が設けられている。挿通部２２４は、第２外面カバー６０の固定部Ｆ１１に対応した位置に設けられている。複数の挿通部２２４のうち一つは、蓋カバー端部７６に設けられている。第２蓋カバー７４と第２外面カバー６０とがねじＳ１３により固定された状態では、固定部Ｆ１１と挿通部２２４とにシールリングＲ８が密着して止水される。
【００８６】
第２蓋カバー７４には、第２蓋カバー７４を第２固定カバー６５に固定するためのねじＳ１４が挿通する挿通孔が貫通形成された挿通部２２５が設けられている。挿通部２２５は、第２固定カバー６５の固定部Ｆ１２に対応した位置に設けられている。第２蓋カバー７４と第２固定カバー６５とがねじＳ１４により固定された状態では、固定部Ｆ１２と挿通部２２５とにシールリングＲ９が密着して止水される。
【００８７】
第２蓋カバー７４には、ケーブル１２６を挿通する挿通孔が形成された挿通部２４２が設けられている。挿通部２４２は、本体部１０の挿通部１２７と対応する位置に設けられている。第２蓋カバー７４と第２固定部２１とがねじＳ２により固定された状態では、挿通部２４２と挿通部１２７とに方形状をなすシールリングＲ３が密着して止水される。
【００８８】
第２蓋カバー７４の外縁部には、第２外面カバー６０の外縁部に形成された係止部２３３が係止する被係止部２３２が設けられている。被係止部２３２に係止部２３３が係止することにより、第２蓋カバー７４と第２外面カバー６０とが組み付け状態に保持される。
【００８９】
図１２に示すように、第２蓋カバー７４の外周縁と、第２固定カバー６５の外周縁と、第２外面カバー６０の外周縁とに、第２パッキン７７が密着する。これにより、第２外面カバー６０と第２固定カバー６５との間の空間、及び第２固定カバー６５と第２蓋カバー７４との間の空間が密閉される。第２パッキン７７は、細長いリング状をなしている。
【００９０】
なお、本実施例の美容器Ｍは、本体部１０を構成する本体ユニット、第１当接部ＴＦを構成する第１当接ユニット、及び第２当接部ＴＳを構成する第２当接ユニットを組み合わせて製造される。本体ユニット、第１ユニット及び第２ユニットは、それぞれが独立した防水構造を備えている。これにより、美容器Ｍの内部に水が浸入することに起因して不具合が生じた場合、水の浸入経路を容易に特定できる。
【００９１】
次に、本実施例の美容器Ｍの使用方法の一例を説明する。
使用者はスイッチ部１３を操作して、電源オンモードにし、第１モード、第２モードまたは第３モードのいずれかを選択する。電源オフモードが電源オンモードに切り替えられると、制御部は、第１モード及び第３モードのときは第１当接部ＴＦの温度を３９度まで急速に上昇させ、第２モードのときは第２当接部ＴＳの温度を３９度まで急速に上昇させる（余熱モード）。３９度は、人の体温と同等の温度であり、美容器Ｍの使用を開始する際、第１当接部ＴＦまたは第２当接部ＴＳを肌に当てたときの冷たさを解消できる。
【００９２】
使用者が、第１モードを選択し、本体部１０を把持してタッチプレート１８に手を接触させ、第１当接部ＴＦを肌に当接させると、人体を介して閉回路が形成され、第１回路基板４６が通電する。第１回路基板４６が通電すると、制御部は、第１当接部ＴＦの温度を４１度まで上昇させる（ホットモード）。また、第１当接部ＴＦに微弱電流が流れるとともに、第１振動モータ４８が振動して通電状態が使用者に感知される。
【００９３】
使用者が、第２モードを選択し、本体部１０を把持してタッチプレート１８に手を接触させ、第２当接部ＴＳを肌に当接させると、人体を介して閉回路が形成され、第２回路基板７１が通電する。第２回路基板７１が通電すると、制御部は、第２当接部ＴＳの温度を４１度まで上昇させる（ホットモード）。また、第２当接部ＴＳに微弱電流が流れるとともに、第２振動モータ７３が振動して通電状態が使用者に感知される。
【００９４】
使用者が、第３モードを選択し、本体部１０を把持してタッチプレート１８に手を接触させ、第１当接部ＴＦを肌に当接させると、制御部は、第１当接部ＴＦの温度を４１度まで上昇させる（ホットモード）。第３モードでは第１当接部ＴＦに微弱電流は流れず、第１振動モータ４８は振動しない。
【００９５】
ホットモードにおける温度上昇の速度は、余熱モードの温度上昇の速度より遅く設定されている。このため、使用者の肌にかかるストレスが小さく、また温度が過度に上昇することを防ぐことができる。制御部は、ホットモードにおいて第１当接部ＴＦまたは第２当接部ＴＳの温度を４１度に上昇させると、その後は第１当接部ＴＦまたは第２当接部ＴＳを４１度に保つように制御する。
【００９６】
次に、上記のように構成された実施例の作用および効果について説明する。
本実施例の美容器Ｍは、使用者が把持する本体部１０と、本体部１０に固定され、使用者の肌に当てる第１当接部ＴＦ及び第２当接部ＴＳと、を備え、第１当接部ＴＦ及び第２当接部ＴＳが、肌に当たる外面を有して湾曲した第１外面カバー３０及び第２外面カバー６０と、第１外面カバー３０及び第２外面カバー６０の内面に近い位置に第１発熱体４０及び第２発熱体６４を配置して第１外面カバー３０及び第２外面カバー６０に固定される第１固定カバー４２及び第２固定カバー６５と、を有している。
【００９７】
この構成によれば、第１外面カバー３０及び第２外面カバー６０を、人の顔や体のように凹凸がある施術面にフィットしやすい形状にしつつ、第１発熱体４０及び第２発熱体６４を第１固定カバー４２及び第２固定カバー６５に近い位置に配置して使用者の肌に当てる第１当接部ＴＦ及び第２当接部ＴＳを速やかに温めることができる。
【００９８】
また、第１発熱体４０及び第２発熱体６４が、面状をなしている。この構成によれば、第１当接部ＴＦ及び第２当接部ＴＳをコンパクトにでき、また第１発熱体４０及び第２発熱体６４の熱が効率よく第１外面カバー３０及び第２外面カバー６０に伝達されるから、第１当接部ＴＦ及び第２当接部ＴＳをより速やかに温めることができる。
【００９９】
また、第１発熱体４０及び第２発熱体６４の形状が、第１外面カバー３０及び第２外面カバー６０の内面の形状に沿っている。この構成によれば、第１外面カバー３０及び第２外面カバー６０の内面と第１発熱体４０及び第２発熱体６４との間隔を面方向に均一にしやすいから、第１外面カバー３０及び第２外面カバー６０の温度分布を均一にできる。
【０１００】
また、第１固定カバー４２及び第２固定カバー６５の第１発熱体４０及び第２発熱体６４に臨む側の面の形状が、第１外面カバー３０及び第２外面カバー６０の内面の形状に沿っている。この構成によれば、第１外面カバー３０及び第２外面カバー６０の内面と第１発熱体４０及び第２発熱体６４との間隔を面方向に均一に保持できるから、第１外面カバー３０及び第２外面カバー６０の温度分布を均一に保持できる。
【０１０１】
また、第１固定カバー４２及び第２固定カバー６５に、第１温度センサ４７及び第２温度センサ７２が取り付けられている。この構成によれば、第１温度センサ４７及び第２温度センサ７２を第１外面カバー３０及び第２外面カバー６０に近い位置に配置し易いから、第１外面カバー３０及び第２外面カバー６０の温度を正確に感知できる。
【０１０２】
＜他の実施例＞
本発明は上記記述及び図面によって説明した実施例に限定されるものではなく、例えば次のような実施例も本発明の技術的範囲に含まれる。
（１）上記実施例では、第１発熱体４０及び第２発熱体６４は面状であるが、第１発熱体及び第２発熱体は面状でなくてもよい。
（２）上記実施例では、第１固定カバー４２の第１発熱体４０側の面が第１発熱体４０に全面的に近接または密着し、第２固定カバー６５の第２発熱体６４側の面が第２発熱体６４に全面的に近接または密着しているが、これに限らず、例えば第１固定カバーの第１発熱体側の面、または第２固定カバーの第２発熱体側の面に複数の突起部を設け、複数の突起部で第１発熱体または第２発熱体を、第１外面カバーまたは第２外面カバーに近接するように支持する構成としてもよい。
（３）上記実施例では、固定部材が第１固定カバー４２または第２固定カバー６５である場合を例示したが、これに限らず、固定部材は、第１外面カバーと第１発熱体との間、または第２外面カバーと第２発熱体との間に配された接着剤であってもよいし、第１発熱体の第１外面カバーとは反対側、または第２発熱体の第２外面カバーとは反対側に貼り付けられた粘着テープ等であってもよい。
（４）上記実施例では、美容器Ｍが２つの当接部を有しているが、これに限らず、美容器Ｍは一つの当接部のみ、または３つ以上の当接部を有していても良い。
（５）上記実施例では、第１当接部ＴＦ及び第２当接部ＴＳが、第１蓋カバー５０及び第２蓋カバー７４を備えているが、これに限らず、第１当接部及び第２当接部は、第１蓋カバー及び第２蓋カバーを備えず、第１固定カバー及び第２固定カバーを本体部の第１固定部及び第２固定部に固定してもよい。
（６）上記実施例では、第１発熱体４０及び第２発熱体６４は、第１外面カバー３０の内面及び第２外面カバー６０の内面に、それぞれ少なくとも一部が直接接した状態になるが、これに限らず、第１発熱体と第１外面カバーの内面、第２発熱体と第２外面カバーの内面とは、全体が離れていても隙間がわずかであればよく、また第１発熱体と第１外面カバーの内面、第２発熱体と第２外面カバーの内面との間に、例えば空気より熱伝導率が大きいシート状の部材を介在してもよい。
（７）上記実施例では、タッチプレート１８と第１当接部ＴＦとに人体が同時に接したときにタッチプレート１８と第１当接部ＴＦとの間に電位差が生じて電流が流れ、またタッチプレート１８と第２当接部ＴＳとに同時に人体が接したときにタッチプレート１８と第２当接部ＴＳとの間に電位差が生じて電流が流れるが、これに限らず、第１当接部と第２当接部とに人体が同時に接したときに第１当接部と第２当接部との間に電位差が生じて電流が流れる構成にしてもよい。また、例えば、第１当接部の第１突部と第２突部とに人体が同時に接したときに第１突部と第２突部との間に電位差が生じて電流が流れる構成にしてもよい。
（８）上記実施例では、美容器Ｍが、第１当接部ＴＦ及び第２当接部ＴＳを本体部１０に組み付けて製造されるが、これに限らず、例えば第１当接部及び第２当接部の一部が、本体部の一部を兼ねるようにしてもよい。具体的には、例えば固定部材が、本体部のインナケースまたはアウタカバーの一部を兼ねるようにしてもよい。すなわち上記実施例の第１固定カバー４２及び第２固定カバー６５がインナケース１４の周壁部１７を兼ねるようにしてもよく、このような場合、上記実施例の第１パッキン５３、第２パッキン７７、第１蓋カバー５０及び第２蓋カバー７４に相当する部材を不要とすることができる。さらに、固定部材が、本体部のインナケースの一部を兼ねるようにする場合、発熱体をインナケースの内側または外側のどちらの側に配置してもよい。つまり第１外面カバーの内面と発熱体との間、または第２外面カバーの内面と発熱体との間に固定部材を介在させてもよい。
【符号の説明】
【０１０３】
Ｍ…美容器
ＴＦ…第１当接部
ＴＳ…第２当接部
１０…本体部
３０…第１外面カバー
４０…第１発熱体
４２…第１固定カバー（固定部材）
４７…第１温度センサ
６０…第２外面カバー
６４…第２発熱体
６５…第２固定カバー（固定部材）
７２…第２温度センサ
【図１】
2020048926.tif 000003
【図２】
2020048926.tif 000004
【図３】
2020048926.tif 000005
【図４】
2020048926.tif 000006
【図５】
2020048926.tif 000007
【図６】
2020048926.tif 000008
【図７】
2020048926.tif 000009
【図８】
2020048926.tif 000010
【図９】
2020048926.tif 000011
【図１０】
2020048926.tif 000012
【図１１】
2020048926.tif 000013
【図１２】
2020048926.tif 000014
【図１３】
2020048926.tif 000015
【図１４】
2020048926.tif 000016
【図１５】
2020048926.tif 000017
【図１６】
2020048926.tif 000018
【図１７】
2020048926.tif 000019
【図１８】
2020048926.tif 000020
【図１９】
2020048926.tif 000021
【図２０】
2020048926.tif 000022
【図２１】
2020048926.tif 000023
【図２２】
2020048926.tif 000024
【図２３】
2020048926.tif 000025
【図２４】
2020048926.tif 000026
【図２５】
2020048926.tif 000027
【図２６】
2020048926.tif 000028
【図２７】
2020048926.tif 000029